(57)【要約】【課題】新設においては長期に亘る防水性を維持できながら、既設の設備に対しても、防水性を簡単に付与できるようにする。【解決手段】底板を形成するアニュラ板１に縦筒部２の下端を溶接して一体化してある貯液用タンク３を、支持基礎部４上に設置し、縦筒部２の下端外周部よりも外側に延出したアニュラ板フランジ部１Ａと、アニュラ板フランジ部１Ａよりも外側に延出した支持基礎部４における犬走り部４Ａとを設け、アニュラ板フランジ部１Ａと犬走り部４Ａとに亘る部分を、防水性のあるポリウレタンゴムの吹付け層８により連続的に覆ってある。【選択図】図２
2015016898.tif 000002
【特許請求の範囲】
【請求項１】
底板を形成するアニュラ板に縦筒部の下端を溶接して一体化してある貯液用タンクを、支持基礎部上に設置し、
前記縦筒部の下端外周部よりも外側に延出したアニュラ板フランジ部と、前記アニュラ板フランジ部よりも外側に延出した支持基礎部における犬走り部とを設けてある屋外タンク設備の防水構造であって、
前記アニュラ板フランジ部と前記犬走り部とに亘る部分を、防水性のあるポリウレタンゴムの吹付け層により連続的に覆ってある屋外タンク設備の防水構造。
【請求項２】
前記ポリウレタンゴムの吹付け層は、２液硬化型のポリウレタンゴムエラストマーから成り、引っ張り強さ１０Ｎ/ｍｍ2以上、引裂き強さ５０Ｎ/ｍｍ以上、伸び率２００％以上、ゲル化時間２０秒以内の物性を有するものである請求項１に記載の屋外タンク設備の防水構造。
【請求項３】
前記支持基礎部がコンクリートであって、前記ポリウレタンゴムの吹付け層の外表面を、アクリルウレタンからなる紫外線防止保護層で覆ってある請求項１又は２に記載の屋外タンク設備の防水構造。
【請求項４】
前記アニュラ板フランジ部と前記犬走り部との間に亘って伸縮性の合成繊維不織布を覆い、
前記アニュラ板フランジ部と前記合成繊維不織布と前記犬走り部とに亘って覆うように、前記ポリウレタンゴムの吹付け層を形成してある請求項１〜３のいずれかに記載の屋外タンク設備の防水構造。
【請求項５】
前記ポリウレタンゴムの吹付け層と前記アニュラ板フランジ部との間には、２液エポキシ変成ウレタンプライマーを塗布してあり、
前記ポリウレタンゴムの吹付け層と前記犬走り部との間には、水系エポキシポリマーセメントプライマーを塗布してある請求項１〜４のいずれか１項に記載の屋外タンク設備の防水構造。
【発明の詳細な説明】
【技術分野】
【０００１】
本発明は、底板を形成するアニュラ板に縦筒部の下端を溶接して一体化してある貯液用タンクを、支持基礎部上に設置し、前記縦筒部の下端外周部よりも外側に延出した前記アニュラ板フランジ部と、前記アニュラ板フランジ部よりも外側に延出した支持基礎部における犬走り部とを設けてある屋外タンク設備の防水構造に関する。
【背景技術】
【０００２】
従来、上記屋外タンク設備の防水構造は、前記アニュラ板フランジ部と前記犬走り部とに亘って、樹脂シートを貼り合わせて防水したり、シリコーンを刷毛で塗布したりして防水構造になるように施工していた（周知慣用技術で適切な公報が見当たらない）。
【発明の概要】
【発明が解決しようとする課題】
【０００３】
上述した従来の施工法では、国で義務付けられているタンクの開放点検期間１０年間という規定期間内で防水性を維持することは困難で、１０年後には既設の設備を撤去して新たに施工するのが一般的であった。
たとえ、１０年後に既設の設備を撤去せずに補修により防水性を付与しようとしても、アニュラ板フランジ部には、縦筒部との間に亘って、補強のためのリブが溶接により一体に突設してあったり、下方の支持基礎部に固定するアンカーボルトの貫通取付部があったりする箇所を、樹脂シートやシリコーンによる刷毛塗りで防水施工するのは困難で、長期に亘って防水性を確保することはできなかった。
【０００４】
従って、本発明の目的は、上記問題点を解消し、新設においては長期に亘る防水性を維持できながら、既設の設備に対しても、防水性を簡単に付与できるようにするところにある。
【課題を解決するための手段】
【０００５】
本発明の第１の特徴構成は、底板を形成するアニュラ板に縦筒部の下端を溶接して一体化してある貯液用タンクを、支持基礎部上に設置し、前記縦筒部の下端外周部よりも外側に延出した前記アニュラ板フランジ部と、前記アニュラ板フランジ部よりも外側に延出した支持基礎部における犬走り部とを設けてある屋外タンク設備の防水構造であって、前記アニュラ板フランジ部と前記犬走り部とに亘る部分を、防水性のあるポリウレタンゴムの吹付け層により連続的に覆ったところにある。
【０００６】
本発明の第１の特徴構成によれば、防水性のあるポリウレタンゴムによる吹付け層は、金属やコンクリートなどのアニュラ板や支持基礎部に対して接着性の良いポリウレタンゴムを吹付けるだけの簡単な施工により、アニュラ板フランジ部と犬走り部とに亘る幅で、且つ、貯液用タンクの全周に亘って、途切れずに連続的な厚い防水被覆層を簡単に形成することができる。
つまり、従来のように、樹脂シートの貼り付け施工の場合には、樹脂シート同士の継ぎ目部の防水施工が困難であったり、前記縦筒部と前記アニュラ板フランジ部との間に亘って、溶接により一体化してあるリブなどの補強用突出部をシートで覆って完全に防水施工するのは困難で、また、シリコーンによる刷毛塗りにより防水層を形成する場合には、均等な厚みの防水層を形成するのが困難で手間がかかりすぎたり、前記リブなどの突出部に防水層を形成するのは困難であったりするのに対して、本発明の防水層は、ポリウレタンゴムの吹付けにより、どんな凹凸部でも簡単に均等な厚みの防水層を形成でき、防水性を上げて長期に亘る屋外タンク設備の使用を確保できる。
従って、新設であっても既設であっても、屋外タンク設備に簡単に防水性を付与できる。
【０００７】
本発明の第２の特徴構成は、前記ポリウレタンゴムの吹付け層は、２液硬化型のポリウレタンゴムエラストマーから成り、引っ張り強さ１０Ｎ/ｍｍ2以上、引裂き強さ５０Ｎ/ｍｍ以上、伸び率２００％以上、ゲル化時間２０秒以内の物性を有するものである。
【０００８】
本発明の第２の特徴構成によれば、本発明の第１の特徴構成による上述の作用効果を叶えることができるのに加えて、２液硬化型のポリウレタンゴムエラストマーから成り、引っ張り強さ１０Ｎ/ｍｍ2以上、引裂き強さ５０Ｎ/ｍｍ以上、伸び率２００％以上、ゲル化時間２０秒以内の物性を有するポリウレタンゴムの吹付け層は、施工時に吹付け後、短時間で硬化するために、液ダレしにくく突出した縦壁部であっても均一で厚い防水層を形成できる。そのために、天候に左右されやすい屋外の施工においても、全体に均等な防水性を確保できる。
その上、高い引っ張り強さ、引裂き強さや高い伸び率により、温度変化に伴う伸縮や振動などにより、アニュラ板フランジ部と犬走り部との間の相対的な変位があっても、十分追随できる。
【０００９】
本発明の第３の特徴構成は、前記支持基礎部がコンクリートであって、前記ポリウレタンゴムの吹付け層の外表面を、アクリルウレタンからなる紫外線防止保護層で覆ったところにある。
【００１０】
本発明の第３の特徴構成によれば、コンクリート製の支持基礎部からアニュラ板フランジ部にかけて連続的に覆ったポリウレタンゴムは、アクリルウレタンからなる紫外線防止保護層により、紫外線劣化が防止され、長期にわたる防水性が維持できる。
【００１１】
本発明の第４の特徴構成は、前記アニュラ板フランジ部と前記犬走り部との間に亘って伸縮性の合成繊維不織布を覆い、前記アニュラ板フランジ部と前記合成繊維不織布と前記犬走り部とに亘って覆うように、前記ポリウレタンゴムの吹付け層を形成したところにある。
【００１２】
本発明の第４の特徴構成によれば、前記アニュラ板フランジ部と前記犬走り部との間に亘って覆う伸縮性の合成繊維不織布は、その上を更に覆うポリウレタンゴムの防水層の伸縮性を発揮させることができ、アニュラ板フランジ部と犬走り部との相対変位を大きく許容できる。
【００１３】
本発明の第５の特徴構成は、前記ポリウレタンゴムの吹付け層と前記アニュラ板フランジ部との間には、２液エポキシ変成ウレタンプライマーを塗布してあり、前記ポリウレタンゴムの吹付け層と前記犬走り部との間には、水系エポキシポリマーセメントプライマーを塗布したところにある。
【００１４】
本発明の第５の特徴構成によれば、２液エポキシ変成ウレタンプライマーは、ポリウレタンゴムの吹付け層とアニュラ板フランジ部との双方の接着性が高く、水系エポキシポリマーセメントプライマーは、ポリウレタンゴムの吹付け層と犬走り部との双方の接着性が高い。そのために、ポリウレタンゴムの防水層が、その防水性を大きく発揮できる。
【図面の簡単な説明】
【００１５】
【図１】屋外タンク設備の斜視図である。
【図２】要部縦断面図である。
【図３】別実施形態の屋外タンク設備の斜視図である。
【図４】別実施形態の要部縦断面図である。
【発明を実施するための形態】
【００１６】
以下に本発明の実施の形態を図面に基づいて説明する。
図１〜図２に示すように、底板を形成する鉄材製のアニュラ板１に同様の鉄材製の縦筒部２の下端を溶接して一体化してある貯液用タンク３を、コンクリート製の支持基礎部４上に設置し、縦筒部２の下端外周部よりも外側に延出したアニュラ板フランジ部１Ａと、アニュラ板フランジ部１Ａよりも外側に延出した支持基礎部４における犬走り部４Ａとを設けてある屋外タンク設備を構成してある。
【００１７】
そして、アニュラ板フランジ部１Ａと支持基礎部４との間や、アニュラ板フランジ部１Ａをアンカーボルト５で支持基礎部４に固定するためのアンカーボルト５の貫通取付け部６等の隙間から雨水が浸入してアニュラ板１下面が腐食したり、アンカーボルト５が腐食して、貯液用タンク３の支持固定機能の低下を防止するために、アニュラ板フランジ部１Ａと犬走り部４Ａとに亘って、防水構造を採る必要があり、これらの部分を、防水性のあるポリウレタンゴムの吹付け層８により連続的に覆って屋外タンク設備の防水構造を構成してある。
【００１８】
ポリウレタンゴムの吹付け層８は、２液硬化型のポリウレタンゴムエラストマーから成り、引っ張り強さ１０Ｎ/ｍｍ2以上、引裂き強さ５０Ｎ/ｍｍ以上、伸び率２００％以上、ゲル化時間２０秒以内の物性を有するもので、イソシアネートを主材とすると共に、ポリオールを硬化剤とし特殊アミンを触媒として混入した材料から成り、無発泡で防水性があり、自己消火性を有する。
【００１９】
本実施形態のポリウレタンゴムエラストマーの１例は、具体的には、ショアーＡ硬さが８９、引っ張り強さ１２Ｎ／ｍｍ2、引裂き強さ５８Ｎ／ｍｍ、伸び率３８０％、１５秒からゲル化し始める物性がある。
【００２０】
ポリウレタンエラストマーを吹き付け塗装して、アニュラ板フランジ部１Ａと犬走り部４Ａとに亘る凹凸面に、塗布量２．０Ｋｇ/ｍ2の均等な厚みの吹付け層８を形成するためには、ゲル化時間２０秒以内の物性が必要である。つまり、１ｍｍ厚/ｍ2の塗布量は１Ｋｇで、約１〜２ｍｍ厚の吹付け層８を形成するために、吹き付け後２０秒以上かかってゲル化すれば液ダレして均等な厚みの吹付け層８が形成されず、そのために、凹凸部に均一な吹付け層８を形成するためには、２０秒以内にゲル化する必要がある。
【００２１】
ポリウレタンエラストマーは、アニュラ板フランジ部１Ａと犬走り部４Ａとに直接吹き付けてもよいが、特に大型の貯液タンクにおいては、アニュラ板フランジ部１Ａと犬走り部４Ａとの間に亘って伸縮性の合成繊維不織布９を覆って接着剤１５を介して接着し、アニュラ板フランジ部１Ａと合成繊維不織布９と犬走り部４Ａとに亘って覆うように、ポリウレタンゴムの吹付け層８を形成する。
尚、ポリウレタンゴムの吹付け層８とアニュラ板フランジ部１Ａとの間には、２液エポキシ変成ウレタンプライマー１０を塗布してあり、ポリウレタンゴムの吹付け層８と犬走り部４Ａとの間には、水系エポキシポリマーセメントプライマー１１を塗布してポリウレタンエラストマーの接着強度を上げてある。
このように施工することにより、ポリウレタンゴムにおけるアニュラ板フランジ部１Ａに接着する部分と、コンクリート製の犬走り部４Ａに接着する部分との間の非接着部分の距離を大きく取って、伸縮度を大きく発揮できるようにしてあるために、アニュラ板フランジ部１Ａと犬走り部４Ａとの相対変位を大きく許容できる。
【００２２】
コンクリート製の支持基礎部４と鉄材性のアニュラ板１との間に設けられた防水シートを介在してあってもよく、また、アニュラ板フランジ部１Ａの端縁部と支持基礎部４との間に形成される隅部に形成される凹部には、ウレタン系シーリング材１２を充填して、ポリウレタンゴムの吹き付け層の下面が滑らかな面になるようにして、成形時の外観が滑らかになるように形成して美観を整えやすくしてある。
また、ポリウレタンゴムによる吹き付けは、図１に示すように、アニュラ板フランジ部１Ａをアンカーボルト５で支持基礎部４に固定するための貫通取付け部６や、その両側の補強リブ１３の部分にも、それらを全て覆うように吹き付けて防水性の高い吹付け層８を簡単に形成して、防水性能が完璧にできるようにしてある。
【００２３】
前記ポリウレタンゴムの吹付け層８の外表面を、アクリルウレタンからなる紫外線防止保護層１４で覆い、ポリウレタンゴムの紫外線による劣化を防止して、長期にわたる防水性能を維持できるようにしてある。
前記紫外線防止保護層１４は、白顔料として酸化チタンを使用して紫外線高反射性を付与してある。
【００２４】
[別実施形態]
前記合成繊維不織布９は、必ずしもポリウレタンゴムの吹付け層８の下側に設けなくてもよく、図３、図４に示すように、アニュラ板フランジ部１Ａと犬走り部４Ａとに直接ポリウレタンゴムの吹付け層８を吹付けてもよい。
尚、ポリウレタンゴムの吹付け層８とアニュラ板フランジ部１Ａとの間には、２液エポキシ変成ウレタンプライマー１０を塗布し、ポリウレタンゴムの吹付け層８と犬走り部４Ａとの間には、水系エポキシポリマーセメントプライマー１１を塗布してポリウレタンエラストマーの接着強度を上げた方が良い。
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２５】
１      アニュラ板
１Ａ    アニュラ板フランジ部
２      縦筒部
３      貯液タンク
４      支持基礎部
４Ａ    犬走り部
８      吹付け層
９      合成繊維不織布
１０    ２液エポキシ変成ウレタンプライマー
１１    水系エポキシポリマーセメントプライマー
１４    紫外線防止保護層
【図１】
2015016898.tif 000003
【図２】
2015016898.tif 000004
【図３】
2015016898.tif 000005
【図４】
2015016898.tif 000006